(57)【要約】      （修正有）【課題】洗髪後、濡れた毛髪をヘアーブラシにて梳くことにより、毛髪の水切りを素早くでき、また、長毛種などのペット洗毛時の被毛水切りもでき、これら毛髪、ペット被毛等の乾燥時間の短縮にもなる、簡易な水切りブラシを提供する。【解決手段】本ブラシハンドル部のレバーを引く、または握ることにより、ブラシ毛同士が接近し、濡れた毛髪及びペット洗毛時の被毛を挟み、水切りを行い、また、着脱可能であるヘアードライヤー機構を装着すれば毛髪の乾燥時間短縮になる。【選択図】図１
0003160887.tif 000002
【実用新案登録請求の範囲】
【請求項１】
固定板（２）に立設された固定ブラシ毛（１０）と、可動板（３）に立設された可動ブラシ毛（１１）と、前記可動板（３）を摺動させるレバー部（５）とを具備し、前記レバー部（５）を摺動させることにより、前記可動板（３）が摺動し、前記可動ブラシ毛（１１）と前記固定ブラシ毛（１０）が近接し、前記可動ブラシ毛（１１）と前記固定ブラシ毛（１０）間にて毛髪を挟扼する水切りブラシ。
【請求項２】
請求項１記載のレバー部（５）に替わり、把持部に具備するハンドルレバー（６）を握ることにより上記可動板（３）を摺動させ毛髪束を挟扼する請求項１に記載の水切りブラシ。
【請求項３】
本考案ブラシに温風吐出ヘアードライヤー機構を装着、または着脱可能とする請求項１、または請求項２に記載の水切りブラシ。
【考案の詳細な説明】
【技術分野】
【０００１】
本考案は、頭髪又はペットなど被毛洗い後、本考案ブラシにてブラッシングすることによって濡れた毛髪又はペットなど被毛の水切りが容易にできる機構を備えたブラシに関するものである。
【背景技術】
【０００２】
洗髪後、濡れた頭髪の水切りを行うにはタオルなどで頭髪を払拭し粗方吸水させ、その後、さらに頭髪をセットする場合、ヘアードライヤーにて頭髪を乾燥させる。又、ペットを全身洗いした時も同様にタオルなどで全身を払拭させ、場合によってヘアードライヤー等にて乾燥させる。特に長毛種のペットや、女性など長毛の頭髪の場合は水分が多いため払拭が容易ではなく、乾燥までの時間を要す。
【０００３】
従来、水に濡れた頭髪の水分除去ブラシとして、空気吸引装置方式（例えば特許文献１）や、水分吸収方式（例えば特許文献２や特許文献４）、可撓性ブラシ本体を握力によってブラシ毛間を狭め、ペットの抜け毛を取る方式（例えば特許文献３）等がある。
【先行技術文献】
【特許文献】
【０００４】
【特許文献１】特許公開平０９−０８４６３４
【特許文献２】特許公開２００７−１５１７７１
【特許文献３】特許  ２８１９１２１
【特許文献４】実用公開平０４−０５８１１６
【考案の開示】
【考案が解決しようとする課題】
【０００５】
上記従来の水分除去ブラシ案において、水分吸引装置方式はブラシ取っ手部に吸引ホースが具備されるため簡易ではなく、また、吸収材方式も頭髪などの水分が多量の場合、吸収材の吸収能力限界時の効果は少なくなるであろう。また、可撓性ブラシ本体案は握力にて動物被毛を梳くが、しかし、頭髪などブラシを梳く時、ブラシ毛の均等な長さや、水分除去のための適度な硬さ、更に使い勝手など必要になるため構造上問題がある。
【０００６】
本考案のブラシは、梳く事によって、ブラシの機構上で毛髪の水分除去を大幅に可能にするブラシである。
【課題を解決するための手段】
【０００７】
本考案は上記課題を解決するため、固定ブラシ部Ａ２に立設された複数の固定ブラシ毛１０と、可動ブラシ部３に立設された複数の可動ブラシ毛１１と、前記可動ブラシ部３を摺動させるレバー部５とを具備し、前記レバー部５を摺動させることにより、前記可動ブラシ部３が摺動し、前記可動ブラシ毛１１と前記固定ブラシ毛１０が近接し、前記可動ブラシ毛１１と前記固定ブラシ毛１０間にて毛髪を挟扼する水切りブラシ。
【０００８】
また、第２の解決手段では上記のスライド移動させるレバー部５に替わり、把持部に具備するハンドル６を握ることにより上記可動ブラシ部３を摺動させ、毛髪束を挟扼し、第１案同様水分を除去する水切りブラシ。
【０００９】
また、第３の解決手段では、本考案ブラシに温風吐出ヘアードライヤー機構を装着、または着脱可能とする第1案、または第２案記載の水切りブラシ。
【考案の効果】
【００１０】
本考案のブラシは、当ブラシにて濡れた毛髪を梳く時、本体把持部近傍にあるレバー部５を引く、あるいはハンドル６を握ることにより、固定ブラシ毛１０と可動ブラシ毛１１とが濡れた毛髪束を挟扼し、本考案ブラシを梳く事により濡れた毛髪の粗方の水分を除去する。これにより、タオル等の毛髪水分払拭作業の軽減と、毛髪の乾燥時間を短縮する。さらに、本考案ブラシ構造がシンプルであるため、ブラシ本体をそのまま水洗いできるため衛生的である。
【００１１】
また、本ブラシを梳く時、前記レバー部５を任意の力加減により引く、あるいはハンドル６を任意の力加減により握るため、頭皮や毛髪にダメージを与えることがない。
【００１２】
また、ペット用として使用すれば広範囲な被毛洗い後、迅速な水分除去により乾燥時間短縮に効果がある。さらに、当ブラシは単に毛髪束を梳くだけではなく、ブラシ毛同士が毛髪を挟扼するため、ペット毛の生え替わり等による無駄毛取りにも使用できる。
【考案を実施するための形態】
【００１３】
以下使用実施例を各図と共に説明する。
【実施例１】
【００１４】
濡れた毛髪に本考案ブラシにて梳くとき、本考案ブラシを梳き始めながら、図１のグリップ４に有する、スライド方式のレバー部５を指によってグリップ４方向に引くと、図４（a）の如く、同レバー部５の他端部にあるスライドフック２２が可動ブラシ部３の他端部にあるブラシ可動リブ２３と係合して、可動ブラシ部３に複数立設された可動ブラシ毛１１が、上部に位置する固定ブラシ部Ａ２の摺動孔Ａ１２内を移動し、前記可動ブラシ毛１１が図４（ｂ）の如く、固定ブラシ部Ａ２に複数立設された固定ブラシ毛１０に接近する。この時、固定ブラシ毛１０と可動ブラシ毛１１間に挟まれ濡れた毛髪３０が前記固定ブラシ毛１０と可動ブラシ毛１１によって挟扼され、そのまま梳くことによって付着した毛髪３０の水分が除去される。
【００１５】
次に、同レバー部５から指を開放すると、図３（ａ−１）の可動ブラシ部３の裏面に固設された復帰リブ２５と係合する本体１のバネ固定リブ２４に装着されたバネ７の復元により前記可動ブラシ部３が自動復帰する。
【００１６】
また上記、レバー部５と係合する可動ブラシ部３は一体化としてもよい。
【００１７】
尚、前記レバー部５は任意の力によって引くため、可動ブラシ毛１１と固定ブラシ毛１０間にある毛髪束の、梳くときの絞り加減が任意である。
【実施例２】
【００１８】
実施例１である、スライド方式にて髪を挟扼させるレバー部５に替わり、実施例２として、図６の如く、グリップ部４に有るハンドル６を握ると、同ハンドル６が図７（ａ）の軸２０によりハンドル６と一体となった駆動アーム２１が、可動ブラシ部３の裏面に固設されたブラシ可動リブ２３に摺動係合しながら前記可動ブラシ部３が図７（ｂ）の如く、グリップ４方向へ水平移動し、以降実施例1同様に、濡れた毛髪束が本ブラシ毛間に挟扼され水分が除去される。
【００１９】
尚、当ハンドル６も任意の力によって握るため、実施例１同様、毛髪束の、梳くとき絞り加減が任意である水切りブラシ。
【実施例３】
【００２０】
前記、実施例１である、可動ブラシ毛１１が水平方向へ本体ブラシ毛１０に接近し、毛髪束を挟扼し、毛髪の水分を除去する方法に替わり、実施例３として、図５（ｂ）、図８（ｂ）の如く、可動ブラシ毛１１が本体ブラシ毛１０の側面へ、固定ブラシ部Ｂ２−１の摺動孔Ｂ１２−１内を斜め摺動移動し、濡れた毛髪束をＳ字状に屈曲させ、濡れた毛髪束を挟扼しながら毛髪の水分を除去する。
【００２１】
尚、前記レバー部５方式もハンドル６方式も当実施例において可動ブラシ部３を摺動させるにおいて同様作動であるが、スライドフック２２及びブラシ可動リブ２３の形状においては、図５の摺動孔Ｂ１２−１内の下部を摺動する稼動ブラシ毛１１の進行方向と直角方向に、当スライドフック２２の形状及びブラシ可動リブ２３の形状を同図５の如く、斜めに傾斜することにより、レバー部５、またはハンドル６の摺動時、可動ブラシ部３の斜め摺動を容易にする。
【００２２】
また、図９は上記同様、斜め摺動の固定ブラシ部Ｂ２−１パターンの一例であり、本体ブラシ毛１０と可動ブラシ毛１１の立設数によっても、別パターンが可能である。
因みに、他図の摺動孔Ａ１２及び摺動孔Ｂ１２−１のパターンは、髪を梳いたとき、毛髪束がブラシ全体で、各ブラシ毛の配列間にて挟扼ムラを抑えたパターン例である。
【実施例４】
【００２３】
上記本考案ブラシである、レバー部５方式、又はハンドル６方式に、図１０の如く従来品機構のヘアードライヤーを装着かつ着脱可能にした水切りブラシ。
【図面の簡単な説明】
【００２４】
【図１】本考案の概観を表わす斜視図。
【図２】本考案の構成を表わす斜視図。
【図３】（ａ）  レバー方式による水平移動前を表わす平面図。          （ａ-1）同図（ａ）の側面断面図。          （ｂ）  レバー方式による水平移動後を表わす平面図。          （ｂ-1）同図（ｂ）の側面断面図。
【図４】（ａ）  ブラシ毛が毛髪を挟扼前の側面詳細断面図。          （ｂ）  ブラシ毛が毛髪を挟扼後の側面詳細断面図。
【図５】（ａ）  レバー方式による斜方向移動前を表わす平面図。          （ａ-1）同図（ａ）の側面断面図。          （ｂ）  レバー方式による斜方向移動後を表わす平面図。          （ｂ-1）同図（ｂ）の側面断面図。
【図６】本考案のハンドル方式概観を表わす斜視図。
【図７】（ａ）レバー方式による水平方向移動前を表わす平面図。          （ａ-1）同図（ａ）の側面断面図。          （ｂ）  レバー方式による水平方向移動後を表わす平面図。          （ｂ-1）同図（ｂ）の側面断面図。
【図８】（ａ）  レバー方式による斜方向移動前を表わす平面図。          （ｂ）  レバー方式による斜方向移動後を表わす平面図。
【図９】可動ブラシ毛の斜方向移動の別パターン例
【図１０】（ａ）本考案ブラシのレバー方式の、ヘアードライヤー装着を表わす斜視図。          （ｂ）本考案ブラシに、ヘアードライヤーの着脱を表わす斜視図。          （ｃ）本考案ブラシのハンドル方式の、ヘアードライヤー装着を表わす斜視図。
【符号の説明】
【００２５】
１．本体
２．固定ブラシ部Ａ   
２−１．固定ブラシ部Ｂ
３．可動ブラシ部
４．グリップ本体
４−１．グリップ上部
５．レバー部
６．ハンドル
７．バネ
１０．固定ブラシ毛
１１．可動ブラシ毛
１２．摺動孔Ａ
１２−１．摺動孔Ｂ
２０．軸
２１．駆動アーム
２２．スライドフック
２３．ブラシ可動リブ
２４．バネ固定リブ
２５．復帰リブ
３０．毛髪
３１．ドライヤー本体
【図１】
0003160887.tif 000003
【図２】
0003160887.tif 000004
【図３】
0003160887.tif 000005
【図４】
0003160887.tif 000006
【図５】
0003160887.tif 000007
【図６】
0003160887.tif 000008
【図７】
0003160887.tif 000009
【図８】
0003160887.tif 000010
【図９】
0003160887.tif 000011
【図１０】
0003160887.tif 000012
【手続補正書】
【提出日】平成22年3月17日(2010.3.17)
【手続補正１】
【補正対象書類名】実用新案登録請求の範囲
【補正対象項目名】請求項３
【補正方法】変更
【補正の内容】
【請求項３】
水切りブラシ本体部と把持部が分離着脱可能とし、この把持部の代わりに、嵌め込み構造を有した従来品の温風吐出ヘアードライヤー機構を、前記水切りブラシ本体部に嵌合装着し、前記温風吐出ヘアードライヤー機構から、前記水切りブラシ本体部内部へ、温風が流入でき、前記水切りブラシ本体部と前記温風吐出ヘアードライヤー機構とが着脱可能とした、請求項１、または請求項２に記載の水切りブラシ。
【手続補正書】
【提出日】平成22年5月6日(2010.5.6)
【手続補正１】
【補正対象書類名】実用新案登録請求の範囲
【補正対象項目名】請求項３
【補正方法】変更
【補正の内容】
【請求項３】
水切りブラシ本体部と把持部が分離着脱可能とし、この把持部の代わりに、嵌め込み構造を有した温風吐出ヘアードライヤー機構を、前記水切りブラシ本体部に嵌合装着し、前記温風吐出ヘアードライヤー機構から、前記水切りブラシ本体部内部へ、温風が流入でき、前記水切りブラシ本体部と前記温風吐出ヘアードライヤー機構とが着脱可能とした、請求項１、または請求項２に記載の水切りブラシ。